(57)【要約】【課題】照明光の色調を可変とすることに伴う照明装置の劣化を抑制することが可能な照明装置を提供する。【解決手段】蛍光体を励起する光を発光する発光装置１と、該発光装置１から放射された光を調光して透過させる調光部２と、該調光部２が透過した光を吸収し異なる波長の可視光に変換する前記蛍光体を有する波長変換部３ｒ，３ｇ，３ｂを備えた光出射部３とを有し、調光部２は、発光装置１から放射された光の透過光量をそれぞれ異ならせる複数個の透光部２ａ，２ｂ，２ｃを有するとともに、光出射部３は、複数個の透光部２ａ，２ｂ，２ｃに対応して波長変換部３ｒ，３ｇ，３ｂを少なくとも一つ配置されてなることを特徴とする。【選択図】図１
2011233269.tif 000002
【特許請求の範囲】
【請求項１】
蛍光体を励起する光を発光する発光装置と、該発光装置から放射された光を調光して透過させる調光部と、該調光部が透過した光を吸収し異なる波長の可視光に変換する前記蛍光体を有する波長変換部を備えた光出射部とを有し、前記調光部は、前記発光装置から放射された光の透過光量をそれぞれ異ならせる複数個の透光部を有するとともに、前記光出射部は、複数個の前記透光部に対応して前記波長変換部を少なくとも一つ配置されてなることを特徴とする照明装置。
【請求項２】
前記調光部は、複数個の前記透光部により該透光部を透過した光の光強度を場所によって異ならせるパネルと、該パネルの中心部に設けられ該中心部を中心に前記パネルを前記光出射部の前記波長変換部に対して相対的に回動可能とする回転軸とを有することを特徴とする請求項１に記載の照明装置。
【請求項３】
前記調光部は、同一形状の前記パネルを複数枚積層し、該パネルの少なくとも一つを前記中心部を中心に回動させることにより複数枚の前記パネルの前記透光部同士が重畳する割合を可変としてあることを特徴とする請求項２に記載の照明装置。
【請求項４】
前記調光部は、前記回転軸を回動させる駆動部を備え、該駆動部によって前記波長変換部と前記透光部との相対的な配置を位置決め可能としてあることを特徴とする請求項２または請求項３に記載の照明装置。
【請求項５】
前記発光装置は、該発光装置に給電する配線パターンを有する配線基板の一表面上に複数個備え該発光装置から放射された光を反射する反射部材で囲んで一つの光源としており、該光源から放射され前記パネルで反射された光を、前記配線基板の一表面側および前記反射部材によって前記パネル側の全体に反射させてなることを特徴とする請求項２ないし請求項４のいずれか１項に記載の照明装置。
【発明の詳細な説明】
【技術分野】
【０００１】
本発明は、照明光の色調を可変とする照明装置に関する。
【背景技術】
【０００２】
近年、赤色（Ｒ），緑色（Ｇ），青色（Ｂ）の光を高出力に発光可能な固体発光素子（たとえば、ＬＥＤチップ、ＬＤ（laser diode）素子や有機ＥＬ素子など）を用いた発光装置が開発されている。発光色の異なる複数種の発光装置を用いて、たとえば、赤色光、緑色光や青色光をそれぞれ発光させ、各発光色の光を混色させることにより白色光を得ることができる。
【０００３】
また、別の発光装置として、固体発光素子たるＬＥＤチップと、該ＬＥＤチップを被覆すると共に該ＬＥＤチップからの光の少なくとも一部を吸収し波長変換した蛍光を発する蛍光体が含有された透光性部材からなる波長変換部材とを備えた発光装置も開発されている。波長変換部材を備えた発光装置は、たとえば、ＬＥＤチップが発光した紫外光を波長変換部材で波長変換して赤色光、緑色光や青色光などとして放射させることができる。赤色光を発光する波長変換部材を備えた発光装置と、緑色光を発光する波長変換部材を備えた発光装置と、青色光を発光する波長変換部材を備えた発光装置とを組み合わせて白色光を放射させることができる。また、波長変換部材を備えた発光装置は、たとえば、ＬＥＤチップからの青色光と、波長変換部材からの黄色光とを混色させ白色光を放射することもできる。
【０００４】
これらの発光装置は、固体発光素子の高出力化などにともない照明装置にまで利用されている。ここで、照明装置は、照明光の色調を所望の色温度の白色光などに変えることが望まれる場合がある。上述の発光装置を利用した照明装置では、発光色の異なる複数種の発光装置の光をそれぞれ調光させることで照明光の色調を可変とすることができる。
【０００５】
たとえば、図８に示すように、青色光を放射する青色ＬＥＤチップのみを利用した発光装置１１０と、青色ＬＥＤチップおよび青色光を吸収し緑色光を放射する緑色蛍光体を有する発光装置１１１と、青色ＬＥＤチップおよび青色光を吸収し赤色光を放射する赤色蛍光体を有する発光装置１１２と、青色ＬＥＤチップおよび青色光を吸収し黄色光を放射する黄色蛍光体を有する発光装置１１３と、緑色ＬＥＤチップのみを利用した発光装置１１４と、各発光装置１１０〜１１４それぞれの光強度を制御する制御装置１２０とを備えた照明装置が知られている（たとえば、特許文献１を参照。）。
【０００６】
上述の特許文献１の照明装置では、発光色の異なる各発光装置１１０〜１１４に供給する電流量を変え、各発光装置１１０〜１１４から放射される異なる発光色の光強度をそれぞれ制御して照明装置から放射される照明光の色調を可変とすることができる、としている。
【先行技術文献】
【特許文献】
【０００７】
【特許文献１】特開２００７−１２２９５０号公報
【発明の概要】
【発明が解決しようとする課題】
【０００８】
ところで、上述の照明装置の各発光装置１１０〜１１４は、各発光装置１１０〜１１４に供給する電流量に応じて各発光装置１１０〜１１４がそれぞれ発光すると共に発熱も生じる。照明装置から照射される照明光の色調を変えるため各発光装置１１０〜１１４へ供給する電流量を変化させた場合、各発光装置１１０〜１１４それぞれに生じる発熱量も変化する。
【０００９】
照明装置では、照明光の色調を変化させるたびに、各発光装置１１０〜１１４ごとにそれぞれ異なって温度の上昇や温度の下降が繰り返される。各発光装置１１０〜１１４ごとの温度変化は、照明装置を構成する各構成部材の熱膨張率の違いにより、各構成部材に熱応力を生じさせる。その結果、照明装置は、照明光の色調の可変に伴う熱応力の負担が大きく、照明装置の劣化が促進される要因となる。照明装置の劣化として、たとえば、ＬＥＤチップとＬＥＤチップを被覆する透光性部材との界面剥離など、照明装置を構成する各構成部材の界面剥離、ＬＥＤチップや発光装置に給電させる電気接続部の接続不良の発生などが挙げられる。照明装置は、照明装置の劣化により、光強度の低下、経時的な色調の変化や不灯などが生ずる恐れがある。
【００１０】
特に、照明装置は、光出力の向上のため、より光強度の高い光が発光可能な発光装置を使用することが求められており、各発光装置の発熱量も大きくなる傾向にある。照明装置は、各発光装置の光強度を大きくする程、照明光の色調を可変とすることに伴う照明装置の劣化が顕著になる恐れがあり、上述の照明装置の構成だけでは十分ではなく更なる改良が求められている。
【００１１】
本発明は上記事由に鑑みて為されたものであり、その目的は、照明光の色調を可変とすることに伴う照明装置の劣化を抑制することが可能な照明装置を提供することにある。
【課題を解決するための手段】
【００１２】
本発明の照明装置は、蛍光体を励起する光を発光する発光装置と、該発光装置から放射された光を調光して透過させる調光部と、該調光部が透過した光を吸収し異なる波長の可視光に変換する前記蛍光体を有する波長変換部を備えた光出射部とを有し、前記調光部は、前記発光装置から放射された光の透過光量をそれぞれ異ならせる複数個の透光部を有するとともに、前記光出射部は、複数個の前記透光部に対応して前記波長変換部を少なくとも一つ配置されてなることを特徴とする。
【００１３】
この照明装置において、上記調光部は、複数個の上記透光部により該透光部を透過した光の光強度を場所によって異ならせるパネルと、該パネルの中心部に設けられ該中心部を中心に上記パネルを上記光出射部の上記波長変換部に対して相対的に回動可能とする回転軸とを有することが好ましい。
【００１４】
この照明装置において、上記調光部は、同一形状の上記パネルを複数枚積層し、該パネルの少なくとも一つを上記中心部を中心に回動させることにより複数枚の上記パネルの上記透光部同士が重畳する割合を可変としてあることが好ましい。
【００１５】
この照明装置において、上記調光部は、上記回転軸を回動させる駆動部を備え、該駆動部によって上記波長変換部と上記透光部との相対的な配置を位置決め可能としてあることが好ましい。
【００１６】
この照明装置において、上記発光装置は、該発光装置に給電する配線パターンを有する配線基板の一表面上に複数個備え該発光装置から放射された光を反射する反射部材で囲んで一つの光源としており、該光源から放射され上記パネルで反射された光を、上記配線基板の一表面側および上記反射部材によって上記パネル側の全体に反射させてなることが好ましい。
【発明の効果】
【００１７】
本発明の照明装置では、照明光の色調を可変とすることに伴う照明装置の劣化を抑制することが可能になるという効果がある。
【図面の簡単な説明】
【００１８】
【図１】実施形態１の照明装置を示し、（ａ）は要部説明断面図、（ｂ）は説明斜視図である。
【図２】同上の照明装置の要部における原理説明図である。
【図３】同上の別の照明装置における説明図である。
【図４】同上の他の照明装置における要部斜視図である。
【図５】同上の更に別の照明装置における要部概略平面図である。
【図６】実施形態２の照明装置を示し、（ａ）は要部説明断面図、（ｂ）は説明斜視図である。
【図７】実施形態３の照明装置の要部説明断面図である。
【図８】従来の照明装置を示す概略構成図である。
【発明を実施するための形態】
【００１９】
（実施形態１）
以下、本実施形態の照明装置を図１ないし図５に基づいて説明する。なお、図１ないし図５において同じ部材に対しては、同じ番号を付して重複する説明を省略している。
【００２０】
本実施形態の照明装置１０は、蛍光体を励起する光を発光するＬＥＤチップ１１を備えた３個の発光装置１と、該発光装置１から放射された光を調光して透過させる調光部２と、該調光部２が透過した光を吸収し異なる波長の可視光に変換する上記蛍光体を有する波長変換部３ｒ，３ｇ，３ｂを３種類備えた光出射部３とを有している。
【００２１】
特に、調光部２は、発光装置１から放射された光の透過光量をそれぞれ異ならせる複数個（ここでは、３個）の透光部２ａ，２ｂ，２ｃを有するとともに、光出射部３は、透光部２ａ，２ｂ，２ｃに対応して波長変換部３ｒ，３ｇ，３ｂを配置させてなる。
【００２２】
ここで、調光部２は、複数個の透光部２ａ，２ｂ，２ｃにより該透光部２ａ，２ｂ，２ｃを透過した光の光強度を場所によって異ならせるパネル２１を有している。また、調光部２は、図１（ｂ）で示すパネル２１の中心部に設けられ該中心部を中心にパネル２１を発光装置１および光出射部３の波長変換部３ｒ，３ｇ，３ｂに対して相対的に回動（図１（ｂ）の破線の矢印参照）可能とする回転軸２３を有している。さらに、調光部２は、回転軸２３を上述の如く回動させる駆動部２４を備え、該駆動部２４によって波長変換部３ｒ，３ｇ，３ｂと透光部２ａ，２ｂ，２ｃとの相対的な配置を位置決め可能としてある。
【００２３】
より具体的には、本実施形態の図１に示す照明装置１０は、円形平板状の配線基板５の一表面５ａ上に３個の発光装置１を配置している。各発光装置１は、回転軸２３が貫通する配線基板５の中央部から離間した仮想の円周（図示していない）上に配置している。各発光装置１は、たとえば、青紫色の光を放射するＬＥＤチップ１１と、該ＬＥＤチップ１１を被覆する凸レンズ状の透光性部材１２とをそれぞれ備えている。なお、各発光装置１のＬＥＤチップ１１は、同一仕様（発光層の半導体材料、発光波長や構造が略同じ）のものを用いている。また、各透光性部材１２の材料としては、たとえば、シリコーン樹脂、エポキシ樹脂、アクリル樹脂やガラスなどを用いればよい。
【００２４】
本実施形態の照明装置１０に用いられる円形平板状の配線基板５は、金属ベース基板を用いており、配線基板５の上記一表面５ａ上に、たとえば、Ａｕでメッキされ各発光装置１に給電させるための配線パターン（図示していない）が形成されている。配線基板５の上記配線パターンには、各発光装置１の各外部電極（図示していない）が、それぞれ図示していない導電性部材（たとえば、ＡｕＳｎやＡｇペーストなど）で別途に電気的に接続されている。
【００２５】
また、本実施形態の照明装置１０は、配線基板５の一表面５ａに実装された各発光装置１から放出される光をパネル２１側に反射する反射部材４を備えている。本実施形態の照明装置１０に用いられる反射部材４は、外形が円柱形状に形成しており、回転軸２３が回転可能に挿通される挿通孔４０が中央部に設けられている。反射部材４は、回転軸２３を中心に３つの貫通孔４２が設けられており、各貫通孔４２を配線基板５の一表面５ａに実装された各発光装置１それぞれに合わせて配置している。反射部材４の各貫通孔４２の側面は、各発光装置１から放出された光ごとに、パネル２１側にそれぞれ反射する反射壁４１として機能することになる。反射部材４を介して各発光装置１が配置された配線基板５の一表面５ａと対向する面側には、回転軸２３の先端部が固定されるパネル２１が設けられている。
【００２６】
本実施形態の照明装置１０に用いられるパネル２１は、円柱状の反射部材４の外形の大きさと略等しい円形平板状に形成されている。パネル２１には、円形平板状のパネル２１における回転軸２３を中心に略均等に３等分された扇形状の場所ごとに径の異なる透光孔２１ａ，２１ｂ，２１ｃをそれぞれ同間隔で配置して透光部２ａ，２ｂ，２ｃを形成している。そのため、円形平板状のパネル２１は、回転軸２３を中心に略均等に３等分された扇形状の場所それぞれで各発光装置１から同一の光強度で放射された光の透過光量が異なることになる。
【００２７】
言い換えれば、調光部２のパネル２１は、各発光装置１に供給する電流量を変化させることなく発光装置１が発光した光の光強度を円形平板状のパネル２１を回転軸２３を中心に略均等に３等分された扇形状の場所ごとに異ならせることができる。
【００２８】
本実施形態の照明装置１０は、調光部２のパネル２１とは別にパネル２１の外形の大きさと略等しい円形平板状の光出射部３を設けている。光出射部３は、パネル２１を介して反射部材４の各貫通孔４２にそれぞれ対応して配置される複数個（ここでは、３個）の波長変換部３ｒ，３ｇ，３ｂを備えている。本実施形態の照明装置１０における光出射部３の波長変換部３ｒ，３ｇ，３ｂは、それぞれ円形状に形成されており、光出射部３の中心部の周りに略均等の間隔で配置されている。光出射部３の波長変換部３ｒ，３ｇ，３ｂは、それぞれ発光装置１からの青紫色の光で励起され赤色の蛍光を発光する波長変換部３ｒ、発光装置１からの光で励起され緑色の蛍光を発光する波長変換部３ｇや発光装置１からの光で青色の蛍光を発光する波長変換部３ｂとして機能する。
【００２９】
本実施形態の照明装置１０に用いられる光出射部３の赤色の蛍光を発光する波長変換部３ｒは、ＬＥＤチップ１１からの青紫光を吸収して赤色の蛍光が発光可能な赤色蛍光体（たとえば、Ｅｕで付活されたＣａＡｌＳｉＮ３など）をバインダーとなるシリコーン樹脂中に均一に分散させて硬化させたものである。
【００３０】
また、光出射部３の緑色の蛍光を発光する波長変換部３ｇは、ＬＥＤチップ１１からの青紫光を吸収して緑色の蛍光が発光可能な緑色蛍光体（たとえば、Ｅｕで付活されたβ−ＳｉＡｌＯＮなど）をバインダーとなるシリコーン樹脂中に均一に分散させて硬化させている。
【００３１】
さらに、光出射部３の青色の蛍光を発光する波長変換部３ｂは、ＬＥＤチップ１１からの青紫光を吸収して青色の蛍光が発光可能な青色蛍光体（たとえば、Ｃｅで付活されたＬａ３Ｓｉ８Ｎ１１Ｏ４など）をバインダーとなるシリコーン樹脂中に均一に分散させて硬化させている。
【００３２】
また、本実施形態の照明装置１０における調光部２には、パネル２１の中心部に固定された回転軸２３を回動させる駆動部２４（たとえば、ステッピングモータやサーボモータなど）を備えている。なお、図１（ｂ）に示す照明装置１０は、内部の構造が把握できるように便宜上、光出射部３、調光部２のパネル２１、反射部材４および配線基板５の間をそれぞれ離間して図示している。
【００３３】
本実施形態の照明装置１０は、図示していない後述の制御部からの制御信号により、駆動部２４を制御して回動させる。駆動部２４は、一端部を駆動部２４に固定した回転軸２３を回動させることで、回転軸２３の他端部に固定されたパネル２１を回動させる。駆動部２４は、パネル２１の回動により、上記扇形状の場所を発光装置１からの光が放射される反射部材４の各貫通孔４２ごとの位置に対応して配置させることができる。ここで、本実施形態の照明装置１０における光出射部３は、パネル２１の回動にかかわらず、光出射部３の各波長変換部３ｒ，３ｇ，３ｂと、反射部材４の各貫通孔４２とがそれぞれ一対一に対応して固定されている構造としている。
【００３４】
照明装置１０は、調光部２のパネル２１を駆動部２４により回動させて位置決めすることにより、各発光装置１それぞれが一定の光強度で発光した各光を透過光量の異なる透光部２ａ，２ｂ，２ｃで、それぞれ調光させて出射させる。照明装置１０の調光部２は、パネル２１を透過し、光出射部３の各波長変換部３ｒ，３ｇ，３ｂそれぞれへ照射される上記光強度を異なせることができる。
【００３５】
すなわち、本実施形態の照明装置１０は、発光装置１からの光を調光部２が異なる３種類の光強度の光に調光し、発光色の異なる三種類の光出射部３の波長変換部３ｒ，３ｇ，３ｂそれぞれに照射させることで、波長変換部３ｒ，３ｇ，３ｂから放射された光の加法混色の混色光により、所望の色調の照明光を得られる。
【００３６】
本実施形態の照明装置１０は、照明光の色調を可変とするために発光装置１へ供給する駆動電流を変化させる必要がない。そのため、本実施形態の照明装置１０は、照明光の色調を変化させても照明装置１０を構成する各構成部材の温度をそれぞれ一定に保つことができる。したがって、本実施形態の照明装置１０は、照明光の色調を可変とすることに伴う照明装置１０の劣化を抑制することが可能となる。
【００３７】
また、本実施形態の照明装置１０の発光装置１は、同一の仕様のＬＥＤチップ１１を用いている。そのため、本実施形態の照明装置１０は、発光装置１の各ＬＥＤチップ１１に供給する駆動電流を全て略同一で一定としたまま調光部２によって異なる光にそれぞれ調光することができる。したがって、照明装置１０は、各発光装置１の発熱量を実質的に全て同じで一定とすることができる。また、照明装置１０は、発光色の異なる発光装置１それぞれの点灯回路を同様にして構成することが可能となる。
【００３８】
以下、本実施形態の照明装置１０に用いられる各構成について詳述する。
【００３９】
本実施形態の照明装置１０に用いられる発光装置１は、通電により光を発光可能な固体発光素子を備えたものである。固体発光素子としては、たとえば、ＬＥＤチップ、ＬＤ（laser diode）素子や有機ＥＬ素子などが挙げられる。発光装置１は、光出射部３に設けられた波長変換部３ｒ，３ｇ，３ｂ（たとえば、蛍光体が含有された透光性樹脂）における蛍光体を励起する光が発光できればよい。したがって、発光装置１の固体発光素子は、青紫光を発光するものだけに限られず、たとえば、可視光を効率よく発光する波長変換部３ｒ，３ｇ，３ｂの蛍光体を励起可能な紫外線や青色光など他の波長を発光するものを用いてもよい。固体発光素子としてＬＥＤチップ１１を用いた場合、ＬＥＤチップは、たとえば、サファイア基板、スピネル基板、窒化ガリウム基板、酸化亜鉛基板や炭化シリコン基板などの結晶成長基板上にｎ型の窒化ガリウム系化合物半導体層、多重量子井戸構造や単一量子井戸構造の発光層となるインジウムが含有された窒化ガリウム系化合物体層、ｐ型の窒化ガリウム系化合物半導体層を順に積層させたものを用いることができる。
【００４０】
なお、結晶成長基板として絶縁性基板を用いたＬＥＤチップは、上記ｐ型の窒化ガリウム系半導体層側から上記ｎ型の窒化ガリウム系化合物半導体層の一部を露出させることにより、同一平面側でアノード電極およびカソード電極をそれぞれ形成することができる。また、導電性基板を用いたＬＥＤチップは、ＬＥＤチップの厚み方向の両面側にアノード電極やカソード電極を形成すればよい。
【００４１】
また、発光装置１は、ＬＥＤチップ１１などの固体発光素子と、固体発光素子からの光を吸収し異なる波長の可視光に変換する蛍光体とを備えた構成とすることもできる。このような構成の発光装置１としては、たとえば、７０００Ｋの青白い光を発光することが可能なものを挙げることができる。
【００４２】
本実施形態の照明装置１０の発光装置１は、配線基板５の上記一表面５ａ上に、ＡｌＮなどの材料からなるサブマウント部材（図示していない）を介して、各ＬＥＤチップ１１を実装させている。また、各発光装置１は、透光性部材１２でＬＥＤチップ１１をそれぞれ封止して形成させている。透光性部材１２は、ＬＥＤチップ１１からの光の取り出し効率を高めることができる。また、ＬＥＤチップ１１をワイヤ（図示していない）などで電気的に接続させて給電経路を形成する場合、透光性部材１２は、上記ワイヤなどを保護することもできる。
【００４３】
発光装置１は、上述の構成だけに限らず、たとえば、共通の外形を持ち、内部に窪んだ凹部と、該凹部の内底面上に一対の導体パターン（図示していない）とを備えたパッケージを用いてもよい。発光装置１は、上記パッケージにおける上記凹部の内底面に各ＬＥＤチップ１１を実装させればよい。
【００４４】
発光装置１は、上記パッケージにおける凹部の内底面上の上記一対の導体パターン（たとえば、最表面がＡｕでメッキされた導体パターン）を利用して、ＬＥＤチップ１１の給電経路を構成することができる。また、発光装置１は、配線基板５の一表面５ａ上に形成させる上記配線パターンとＡｕＳｎなどで適宜に電気的に接続させて給電経路を形成すればよい。
【００４５】
このような発光装置１のパッケージは、アルミナや窒化アルミニウムなどを用いたセラミック基板、Ｃｕ、ＡｌやＦｅなどの金属材料を用いた金属ベース基板やエポキシ樹脂基板などを用いることができる。また、発光装置１のパッケージは、たとえば、アクリル樹脂やエポキシ樹脂などの樹脂材料で一対の金属導体を一体成形させたものを用いてもよい。この場合、発光装置１は、ＬＥＤチップ１１と一対の金属導体とをそれぞれ電気的に接続させ、樹脂材料から露出する一対の金属導体を発光装置１の外部電極として機能させてもよい。
【００４６】
なお、本実施形態の照明装置１０では、発光装置１が光出射部３の各波長変換部３ｒ，３ｇ，３ｂに対応して、それぞれ一個のＬＥＤチップ１１を備えているが、各ＬＥＤチップ１１の数は、一個だけに限らずそれぞれ複数個用いることができる。この場合、各ＬＥＤチップ１１は、上記導体パターンを用いて、適宜に直列、並列や直並列に電気的に接続させればよい。また、ＬＥＤチップ１１は、同種のものを用いてもよいし、異なる発光波長を発光する複数個のＬＥＤチップを用いてもよい。
【００４７】
本実施形態の照明装置１０に用いられる調光部２は、発光装置１が放射した光を複数の異なる光強度の光として調光して外部に透過することが可能なものである。
【００４８】
このような調光部２として、たとえば、発光装置１から放射された光の透過光量を異ならせる複数個の透光部２ａ，２ｂ，２ｃを備えることにより光強度を場所によって異ならせるパネル２１と、該パネル２１の中心部に設けられ該中心部を中心にパネル２１を光出射部３の波長変換部３ｒ，３ｇ，３ｂに対して相対的に回動可能とする回転軸２３とを有する構成とすることができる。これにより、調光部２は、透過光量が場所によって異なるパネル２１を回動させることで、発光装置１へ供給する駆動電流を一定としたまま、光出射部３の波長変換部３ｒ，３ｇ，３ｂへ照射させる上記光強度を可変とすることができる。
【００４９】
また、調光部２は、発光装置１が放射した光の透過光量を制御する液晶装置（図示していない）を用いて調光してもよい。上記液晶装置は、たとえば、透明電極がそれぞれ対向してマトリックス状に設けられた一対のガラス間に光制御部材である液晶分子からなる液晶材を挟み合わせて構成することができる。液晶装置は、上記透明電極間への印加電圧を制御することで液晶分子の傾きを制御し、液晶装置を透過する透過光量を液晶装置の場所によって適宜に異ならせることが可能となる。これにより、調光部２は、透過光量が場所によって異なる上記液晶装置を駆動させることで、光出射部３の波長変換部３ｒ，３ｇ，３ｂへ照射させる上記光強度を可変とすることができる。
【００５０】
本実施形態の図２（ａ）に例示する照明装置１０では、たとえば、光出射部３の赤色光を発光する波長変換部３ｒに対向する調光部２のパネル２１の場所に、大きさの異なる３種類の透光孔２１ａ，２１ｂ，２１ｃのうち最も小さい径の透光孔２１ｃを複数個備えた透光部２ｃが配置されている（図２（ａ）中の左側を参照）。光出射部３の緑色光を発光する波長変換部３ｇに対向するパネル２１の場所には、中程度の大きさとなる径の透光孔２１ｂを複数個備えた透光部２ｂが配置されている（図２（ａ）中の中央を参照）。光出射部３の青色光を発光する波長変換部３ｂに対向するパネル２１の場所には、最も大きい径の透光孔２１ａを複数個備えた透光部２ａが配置されている（図２（ａ）中の右側を参照）。
【００５１】
調光部２は、光出射部３の各波長変換部３ｒ，３ｇ，３ｂに対向するパネル２１の場所に設けられた各透光部２ａ，２ｂ，２ｃの透過光量をそれぞれ、赤色（Ｒ）用：緑色（Ｇ）用：青色（Ｂ）用=１：２：３とすることができる。なお、図２中に破線で示した円の大きさによって、透過光量をそれぞれ例示している。これによって、図２（ａ）に示す照明装置１０は、照明装置１０の出射部３から出射される照明光を、各発光装置１それぞれの光強度を一定としたまま、色温度の高い寒色系の照明光として光出射部３から出射させることが可能となる。
【００５２】
次に、図２（ｂ）で示す照明装置１０では、図２（ａ）と同じ照明装置１０を用いている。図２（ｂ）で示す照明装置１０のパネル２１は、図１（ｂ）の破線の矢印で示す如く、パネル２１の中心部を中心に複数個の発光装置１および光出射部３に対して相対的に回動させたのち固定している。照明装置１０は、たとえば、光出射部３の赤色光を発光する波長変換部３ｒに対向するパネル２１の場所に、最も大きい径の透光孔２１ａを複数個備えた透光部２ａが配置されている（図２（ｂ）中の左側を参照）。光出射部３の緑色光を発光する波長変換部３ｇに対向するパネル２１の場所には、最も小さい径となる透光孔２１ｃを複数個備えた透光部２ｃが配置されている（図２（ｂ）中の中央を参照）。光出射部３の青色光を発光する波長変換部３ｂに対向するパネル２１の場所には、中程度の大きさとなる径の透光孔２１ｂを複数個備えた透光部２ｂが配置されている（図２（ｂ）中の右側を参照）。調光部２は、光出射部３の各波長変換部３ｒ，３ｇ，３ｂに対向するパネル２１の場所に設けられた各透光部２ａ，２ｂ，２ｃの透過光量をそれぞれ、赤色（Ｒ）用：緑色（Ｇ）用：青色（Ｂ）用=３：１：２とすることができる。これにより、図２（ｂ）に示す照明装置１０は、図２（ａ）における照明装置１０の各発光装置１に供給する電流量を変えることなく、図２（ａ）における照明装置１０と比較して色温度が低い暖色系の照明光を光出射部３から出射させることが可能となる。
【００５３】
続いて、図２（ｃ）で示す照明装置１０も、図２（ａ）と同じ照明装置１０を用いている。図２（ｃ）で示す照明装置１０のパネル２１は、図１（ｂ）の破線の矢印で示す如く、パネル２１の中心部を中心に複数個の発光装置１および光出射部３に対して相対的に図２（ｂ）の位置からさらに回動させたのち固定している。照明装置１０は、たとえば、光出射部３の赤色光を発光する波長変換部３ｒに対向するパネル２１の場所に、中程度の大きさとなる径の透光孔２１ｂを複数個備えた透光部２ｂが配置されている（図２（ｃ）中の左側を参照）。光出射部３の緑色光を発光する波長変換部３ｇに対向するパネル２１の場所には、最も大きい径となる透光孔２１ａを複数個備えた透光部２ａが配置されている（図２（ｃ）中の中央を参照）。光出射部３の青色光を発光する波長変換部３ｂに対向するパネル２１の場所には、最も小さい径の透光孔２１ｃを複数個備えた透光部２ｃが配置されている（図２（ｃ）中の右側を参照）。調光部２は、光出射部３の各波長変換部３ｒ，３ｇ，３ｂに対向するパネル２１の場所に設けられた各透光部２ａ，２ｂ，２ｃの透過光量をそれぞれ赤色（Ｒ）用：緑色（Ｇ）用：青色（Ｂ）用=２：３：１とすることができる。これにより、図２（ｃ）に示す照明装置１０は、図２（ｂ）における照明装置１０の各発光装置１に供給する電流量を変えることなく、図２（ｂ）に示す照明装置１０の光出射部３から出射される照明光と比較して、より比視感度の高い混色光となる照明光を光出射部３から出射させることが可能となる。
【００５４】
なお、照明装置１０は、調光部２のパネル２１を交換することにより、たとえば、発光色の異なる光出射部３の各波長変換部３ｒ，３ｇ，３ｂに対向する調光部２のパネル２１に設けられた各透光部２ａ，２ｂ，２ｃの透過光量をそれぞれ赤色（Ｒ）用：緑色（Ｇ）用：青色（Ｂ）用=３：２：１に変えてもよい。この場合、照明装置１０は、赤っぽく色温度が低い混色光となる照明光を照射させることが可能となる。照明装置１０は、パネル２３の中心部に設けた回転軸２３を駆動部２４で回動させ、発光色の異なる光出射部３の波長変換部３ｒ，３ｇ，３ｂに対してパネル２１の位置を赤色（Ｒ）用：緑色（Ｇ）用：青色（Ｂ）用=１：３：２となる位置に移動させた場合、色温度が高い混色光となる照明光を光出射部３から出射させることもできる。
【００５５】
ここで、照明装置１０から所定の設定色温度の混色光を放射させるためには、パネル２１の各透光部２ａ，２ｂ，２ｃにおける透過光量の割合を、たとえば、表１の透過率のごとく設定すればよい。
【００５６】
【表１】
2011233269.tif 000003
【００５７】
また、照明装置１０は、図３に示すごとく、発光装置１が発光した光の透過光量を可変とする調光部２’が、光出射部３の各波長変換部３ｒ，３ｇ，３ｂごとに対応して透過光量が異なる透光部２ａａ〜２ａｃ，２ｂａ〜２ｂｃ，２ｃａ〜２ｃｃを複数個づつ備えた構成としてもよい。調光部２’は、たとえば、光出射部３の波長変換部３ｒに対応して透光部２ａａを配置させた場合、波長変換部３ｇに対応して透光部２ｂａ、波長変換部３ｂに対応して透光部２ｃａがそれぞれ配置される。この調光部２’を回動させて、たとえば、光出射部３の波長変換部３ｒに対応して透光部２ａｂを配置させた場合、調光部２’は、波長変換部３ｇに対応して透光部２ｂｂ、波長変換部３ｂに対応して透光部２ｃｂがそれぞれ配置される。同様に、調光部２’を回動させて、たとえば、光出射部３の波長変換部３ｒに対応して透光部２ａｃを配置させた場合、調光部２’は、波長変換部３ｇに対応して透光部２ｂｃ、波長変換部３ｂに対応して透光部２ｃｃがそれぞれ配置される。これにより、照明装置１０は、光出射部３から出射される混色光をより細かく調色することができる。なお、図３の照明装置１０に用いられる光出射部３の各波長変換部３ｒ，３ｇ，３ｂの大きさは、調光部２’の各透光部２ａａ〜２ａｃ，２ｂａ〜２ｂｃ，２ｃａ〜２ｃｃに対応（図３中の調光部２’を例示した平面図における円状の破線を参照）して、図１に示す光出射部３の波長変換部３ｒ，３ｇ，３ｂより若干小さく形成している。
【００５８】
また、本実施形態の照明装置１０に用いられる調光部２のパネル２１は、透光部２ａ，２ｂ，２ｃにそれぞれ対応した複数個の扇形状部材（図示していない）を備え、回転軸２３を中心に上記扇形状部材を均等に組み合わせた構成としてもよい。たとえば、パネル２１の上記扇形状部材は、上記発光色の異なる光出射部３の各波長変換部３ｒ，３ｇ，３ｂとそれぞれ一対一で対応して配置させればよい。すなわち、パネル２１は、異なる透光部２ａ，２ｂ，２ｃとなる上記扇形状部材をパネル２１の中心部を中心に略均等に配置させて円形平板状に形成させることになる。
【００５９】
上記扇形状部材を組み合わせたパネル２１は、透過光量が異なる別の扇形状部材とそれぞれ取り替えることが可能なように着脱自在に構成することができる。これにより、照明装置１０は、パネル２１を構成する上記扇形状部材の交換により、照明装置１０の光出射部３から出射する混色光の色調をより細かく変えることが可能となる。
【００６０】
本実施形態の照明装置１０に用いられるパネル２１の材料としては、各種金属材料や樹脂材料などを適宜に用いることができる。パネル２１の厚みは、発光装置１から放射される光が透光部２ａ，２ｂ，２ｃの内部で閉じ込められ減衰することを抑制させるため、薄いほうが好ましい。また、パネル２１の厚みは、最低限、パネル２１の機械的強度を確保できる厚みとすればよい。
【００６１】
パネル２１は、パネル２１の場所によって透光部２ａ，２ｂ，２ｃの透過光量に差異を設けるため、径の異なる透光孔２１ａ，２１ｂ，２１ｃを同間隔で複数個配置するだけでなく、図４で示す全て同じ径の透光孔２１ｄを異なる間隔で配置してもよい。
【００６２】
すなわち、パネル２１は、透光部２ａ，２ｂ，２ｃの透過光量に差異を設けるため、透光孔２１ａ，２１ｂ，２１ｃの間隔や径の大きさなどを適宜に変化させることができる。また、本実施形態の照明装置１０に用いられるパネル２１の透光部２ａ，２ｂ，２ｃを構成する透光孔２１ａ，２１ｂ，２１ｃの形状は、円形状に形成させているが、これに限られない。したがって、透光孔の形状は、三角形状や四角形状など多角形形状とさせてもよい。
【００６３】
パネル２１は、発光装置１側の一方面上に発光装置１が放射した光に対して、反射率が高い或いは、透過率が低い遮光層を設けてもよい。遮光層は、たとえば、各種金属材料や黒色酸化物を蒸着することで形成させてもよいし、黒色塗料を塗布することで形成させてもよい。パネル２１は、遮光層により発光装置１からの光強度を制御性よく調整することが可能となる。これにより、本実施形態の照明装置１０における調光部２のパネル２１は、発光装置１からの光の一部を遮光し調光する役割を制御性よく行うことが可能となる。
【００６４】
パネル２１に備えられた透光部２ａ，２ｂ，２ｃは、照明装置１０の光出射部３から出射させる照明光の色調を考慮して、形状、大きさ、数や間隔などを適宜に設定した透光孔で形成することができる。透光部２ａ，２ｂ，２ｃは、透過光量を可変とすることが可能なものであればよく、透光性のパネル２１に光を透過させる部分を除いて遮光する遮光マスク（図示していない）を形成させて構成してもよい。
【００６５】
さらに、透光部２ａ，２ｂ，２ｃとして、発光装置１からの光を散乱する光拡散材（図示していない）や発光装置１からの光を吸収する吸収材（図示していない）を利用して構成することもできる。すなわち、パネル２１は、光拡散材や吸収材の含有量をパネル２１の場所によってそれぞれ調整して配置させることにより、発光装置１から放射された光の透過光量をそれぞれ制御する透光部２ａ，２ｂ，２ｃを備えることもできる。光拡散材や吸収材の含有量をパネル２１の場所によってそれぞれ調整させるパネル２１は、光拡散材などの含有量の異なる樹脂材料を用いた多色成形法により成形することで形成することもできる。
【００６６】
照明装置１０の光出射部３から所望の色調の照明光を得るため、パネル２１に備えられた透光部２ａ，２ｂ，２ｃに必要な透過光量は、光出射部３の各波長変換部３ｒ，３ｇ，３ｂから放射される発光スペクトルと、ＣＩＥのｘｙ色度座標における所望の照明光の色度点から適宜に算出することができる。
【００６７】
本実施形態の照明装置１０に用いられる調光部２の回転軸２３は、調光部２のパネル２１を回動させるために設けられたものである。回転軸２３は、パネル２１の中心部に固定させている。パネル２１への回転軸２３の固定方法は、たとえば、接着剤による接着やネジにより固定するなど適宜の方法を用いて形成すればよい。また、パネル２１と回転軸２３とを一体成形により形成させておいてもよい。回転軸２３の材質は、金属材料や樹脂材料など特に限定するものではない。
【００６８】
本実施形態の照明装置１０の調光部２は、たとえば、パルス発振器からの信号に同期して回動するステッピングモータや位置検知センサなどからパネル２１の位置情報に基づいて回転角を調整するサーボモータなどを用いた駆動部２４により、パネル２１の回転軸２３を回動させてパネル２１の配置を位置決めすることができる。照明装置１０は、パネル２１を回動させて位置決め制御することにより、照明光の色調を可変とすることができる。なお、照明装置１０は、駆動部２４を用いてパネル２１を回動させるだけでなく、手動でパネル２１を回動させて照明光の色調を可変とさせる構造としてもよい。
【００６９】
次に、本実施形態の照明装置１０の光出射部３は、調光部２の透光部２ａ，２ｂ，２ｃそれぞれで調光して放射された光を波長変換して出射する役割を果たす。光出射部３は、異なる発光色の光を出射させるために、発光装置１から放射された光の少なくとも一部を波長変換する波長変換部３ｒ，３ｇ，３ｂを備えている。光出射部３の波長変換部３ｒ，３ｇ，３ｂは、それぞれの発光色となる光を出射できるように適宜に蛍光体を透光性材料（たとえば、シリコーン樹脂、エポキシ樹脂、アクリル樹脂やガラスなど）に含有させて形成すればよい。
【００７０】
照明装置１０の光出射部３は、波長変換部３ｒ，３ｇ，３ｂを必ずしも円形に形成させる必要もなく、図５（ａ）の光出射部３の平面図で例示するように各波長変換部３ｒ，３ｇ，３ｂをそれぞれ扇形状に形成させてもよい。
【００７１】
また、照明装置１０は、光出射部３の波長変換部３ｒ，３ｇ，３ｂをパネル２１の各透光部２ａ，２ｂ，２ｃに対して１箇づつ設けるだけでなく、それぞれ複数個づつ設けてもよい。すなわち、照明装置１０は、図５（ｂ）の光出射部３の平面図で例示するように、赤色光を発光する波長変換部３ｒ、緑色光を発光する波長変換部３ｇおよび青色光を発光する波長変換部３ｂをそれぞれ複数個（ここでは、それぞれ３個）づつ設けることができる。光出射部３の赤色光を発光する波長変換部は、赤色の蛍光が発光可能な蛍光体の透光性材料への含有量がそれぞれ異なる３種類の波長変換部３ｒａ，３ｒｂ，３ｒｃを備えればよい。同様に、光出射部３の緑色光を発光する波長変換部は、緑色の蛍光が発光可能な蛍光体の透光性部材への含有量がそれぞれ異なる３種類の波長変換部３ｇａ，３ｇｂ，３ｇｃを備えればよい。さらに、光出射部３の青色光を発光する波長変換部は、青色の蛍光が発光可能な蛍光体の透光性部材への含有量がそれぞれ異なる３種類の波長変換部３ｂａ，３ｂｂ，３ｂｃを備えればよい。これにより、照明装置１０は、照明光の色調をより細かく制御することが可能となる。
【００７２】
さらに、照明装置１０の光出射部３は、同じ赤色光を発光する波長変換部３ｒと、同じ緑色光を発光する波長変換部３ｇと、同じ青色光を発光する波長変換部３ｂとをそれぞれ複数個づつ備えてもよい。この場合、照明装置１０の光出射部３は、図５（ｃ）の光出射部３の平面図で例示するように、光出射部３の中心側から外周に向かって各波長変換部３ｂ，３ｇ，３ｒごとに順次、同心円状に配置することができる。また、照明装置１０は、図５（ｄ）の光出射部３の平面図で例示するように、各波長変換部３ｒ，３ｇ，３ｂがそれぞれ複数個づつ設けられた光出射部３の各波長変換部３ｒ，３ｇ，３ｂをランダム状に配置させてもよい。図５（ｄ）の光出射部３を用いた照明装置１０では、図５（ｃ）の光出射部３を用いた照明装置１０と比較して、照明装置１０の光出射部３から出射される混色光の色むらをより少なくすることが可能となる。このような光出射部３の波長変換部３ｒ，３ｇ，３ｂの配置や形状は、調光部２の光を透過させる透光部２ａ，２ｂ，２ｃと対応させて適宜に設定すればよい。
【００７３】
また、照明装置１０の光出射部３は、発光装置１が、たとえば、青色光などの可視光を放射する場合、青色光の一部を波長変換させずにそのまま用いることも可能である。したがって、照明装置１０における光出射部３は、調光部２を透過した光を必ずしも全て波長変換部で波長変換させる必要もない。すなわち、照明装置１０は、光出射部３が３種類の波長変換部３ｒ，３ｇ，３ｂを備える代わりに、光出射部３が赤色を発光する波長変換部３ｒと、緑色を発光する波長変換部３ｇと、発光装置１からの青色光を透過させることが可能な開口部（図示していない）とを備え、青色を発光する波長変換部３ｂを備えていない構成としてもよい。
【００７４】
なお、照明装置１０の光出射部３は、青色光を透過する上記開口部に青色光を拡散して透過させる拡散層を配置させてもよい。上記拡散層は、透光性材料（たとえば、シリコーン樹脂など）中に含有させる光拡散材の含有比率を調整することで、光出射部３の上記開口部から放射される光の放射角を調整することが可能となる。これによって、照明装置１０の光出射部３は、他の波長変換部３ｒ，３ｇから放射される光の放射角と、拡散層を備えた上記開口部から放射される光の放射角とを揃えることができ、照明装置１０の光出射部３から出射される混色光の配光特性を揃えることで混色性をより向上させることができる。すなわち、光出射部３の各波長変換部３ｒ，３ｇ，３ｂには、蛍光体だけでなく蛍光体と光拡散材とを適宜に含有させてもよい。
【００７５】
なお、照明装置１０から出射される照射光の色調を可変とさせる範囲を大きくするためには、光出射部３の波長変換部３ｒ，３ｇ，３ｂから放出させる光の色調は、ＣＩＥのｘｙ色度座標におけるスペクトル軌跡にできるだけ近い発光色の波長変換部３ｒ，３ｇ，３ｂを用いればよい。また、照明装置１０から出射される照明光の色調を、ＣＩＥ標準光源Ｄ６５の色調に対して可変とさせる場合、照明装置１０の光出射部３は、波長変換部材を用いて赤色系の白色光、緑色系の白色光および青色系の白色光などを利用することもできる。したがって、照明装置１０の光出射部３の各波長変換部３ｒ，３ｇ，３ｂは、赤色光、緑色光や青色光を出射するものだけでなく、赤みの強い白色光、青みの強い白色光および緑みの強い白色光などを発光するものでもよい。
【００７６】
また、照明装置１０の光出射部３は、波長変換部３ｒ，３ｇ，３ｂを配置していない部分に、光を反射する金属材料などからなる反射層などを適宜に形成してもよい。光出射部３の反射層は、調光部２側の一表面の反射率を高くして照明装置１０の色調を制御性よく可変とすることができる。
【００７７】
次に、本実施形態の照明装置１０の反射部材４は、各発光装置１それぞれから発せられた光を調光部２のパネル２１側に反射する役割を果たす。反射部材４は、蒸着法やスパッタリング法などにより、反射率が高い金属材料のコーティングを反射壁４１の表面に施せばよい。反射部材４の反射壁４１の形状は、各発光装置１の配光分布を考慮して反射面を回転放物面状など適宜の形状に設計すればよい。
【００７８】
本実施形態の照明装置１０に用いられる配線基板５は、発光装置１を実装可能なものである。配線基板５には、発光装置１への給電を確保するための配線パターン（図示していない）が設けられている。配線基板５は、発光装置１からの熱を効率よく放熱するため、ＡｌＮ、アルミナセラミックス、金属を母材とする金属基板などを用いることが好ましい。配線基板５に導電性の金属基板を用いる場合は、上記配線パターンと金属基板の間には絶縁性を確保するための絶縁層（図示していない）を適宜に設ければよい。
【００７９】
配線基板５は、発光装置１から放射させる光の光強度が小さく、発光装置１の発熱量が小さい場合、ガラスエポキシ基板、紙フェノール基板などを用いて構成してもよい。なお、本実施形態の照明装置１０の配線基板５は、配線基板５の形状を円形平板状としているが、これに限られない。したがって、配線基板５の形状は、たとえば、楕円の板状や矩形板状などの多角形の板状に形成させてもよい。
【００８０】
また、照明装置１０は、配線基板５の上記一表面５ａ上に反射膜（図示していない）を設けてもよい。上記反射膜は、発光装置１から放射される光を効率よく反射可能なものであって、具体的には、Ａｌ、Ａｌ合金、Ａｇ、Ａｇ合金などの金属材料やＢａＳＯ４などの白色顔料となる無機材料が含有されたガラスを用いて構成すればよい。
【００８１】
また、本実施形態の照明装置１０は、各発光装置１から放射された光をそれぞれ調光して透過させる調光部２を制御するためマイクロコンピュータなどからなる制御部（図示していない）を備えることもできる。上記制御部は、たとえば、照明装置１０から出射される照明光の色温度を調整する際の色温度と各波長変換部３ｒ，３ｇ，３ｂごとに異なる光強度の光を放射させるため、調光部２が透過する光の調光とを対応させたテーブルを記憶した記憶部を備えている。また、上記制御部は、調光部２が透過する光を所定の光強度に調光した光とするために、調光部２のパネル２１を回動させる駆動部２４を制御する。上記制御部は、色温度設定部（図示していない）の操作によって設定された色温度に対応する調色信号に基づいて、調光部２の回転軸２３を介して駆動部２４でパネル２１を回動させて制御するように構成してもよい。
【００８２】
また、照明装置１０は、光出射部３から出射された光の配光を制御するために、反射板、拡散板やレンズなどの配光制御部（図示していない）を別途設けてもよい。
【００８３】
本実施形態の照明装置１０は、照明装置１０から出射させる照射光の色調を可変とするために発光装置１へ供給する駆動電流を変化させる必要がない。本実施形態の照明装置１０では、発光装置１の点灯に伴う発熱が、３個の各発光装置１とも共通に同様に生ずる。
【００８４】
すなわち、照明装置１０は、発光装置１へ供給する駆動電流を変化させる必要がなく、照明装置１０を構成する各構成部材の温度を略一定に保つことができ、発光装置１の熱変化などに起因する応力発生を抑制できるという効果がある。また、本実施形態の照明装置１０では、照明光の色調を可変とするために、各発光装置１へ供給する駆動電流を各発光装置１ごとに個別に制御する制御回路を不要とすることもできる。
【００８５】
さらに、本実施形態の照明装置１０では、照明光の色調を変えた場合でも発光装置１のＬＥＤチップ１１自体に温度変化が生ずることが実質的にない。そのため、照明装置１０の各発光装置１から放射される光が照明光の色調を変化させた直後にＬＥＤチップ１１自体の温度変化によって波長シフトなどすることもなく安定した色調の照明光を照射させることができる。
【００８６】
（実施形態２）
本実施形態は、図１で示した実施形態１の照明装置１０におけるパネル２１を一枚だけ用いて調光部２を構成する代わりに、図６に示すように略同一形状の２枚のパネル２１，２２を用いて調光部２を構成した点が異なる。なお、実施形態１と同様の構成要素には、同一の符号を付して説明を適宜省略する。
【００８７】
図６に示す照明装置１０は、蛍光体を励起する光を発光する発光装置１と、該発光装置１から放射された光を調光して透過させる調光部２と、該調光部２が透過した光を吸収し異なる波長の可視光（ここでは、赤色光、緑色光および青色光）に変換する上記蛍光体を有する３種類の波長変換部３ｒ，３ｇ，３ｂを備えた光出射部３とを有している。
【００８８】
本実施形態の照明装置１０における調光部２は、発光装置１から放射された光の透過光量をそれぞれ異ならせる複数個（ここでは、３個）の透光部２ａ，２ｂ，２ｃを有するとともに、光出射部３は、透光部２ａ，２ｂ，２ｃに対応して波長変換部３ｒ，３ｇ，３ｂを配置されてなる。
【００８９】
ここで、調光部２は、各透光部２ａ，２ｂ，２ｃにより、該透光部２ａ，２ｂ，２ｃを透過した光の光強度を場所によって異ならせるパネル２１，２２と、該パネル２１，２２の中心部に設けられ該中心部を中心にパネル２１，２２を光出射部３の波長変換部３ｒ，３ｇ，３ｂに対して相対的に回動可能とする回転軸２３を有している。
【００９０】
特に、調光部２は、同一形状のパネル２１，２２を複数枚（ここでは、２枚）積層し、パネル２１，２２の少なくとも一つを、パネル２１，２２の中心部を中心に回動させることにより、２枚のパネル２１，２２の透光部２ａ，２ｂ，２ｃ同士が重畳する割合を可変としてある。
【００９１】
より具体的には、本実施形態の照明装置１０に用いられる調光部２は、複数個の透光部２ａ，２ｂ，２ｃを備えた同一形状の一対のパネル２１，２２を備えている。各パネル２１，２２の透光部２ａ，２ｂ，２ｃには、それぞれ透光部２ａ，２ｂ，２ｃごとに大きさが異なる複数種類の透光孔２１ａ〜２１ｃ，２２ａ〜２２ｃが設けられている。一対のパネル２１，２２は、パネル２１，２２の位置を合わせて重ねれば、重ね合わせた一対のパネル２１，２２の透過光量が、それぞれのパネル２１，２２における透過光量と略同等になるように形成している。
【００９２】
また、一対のパネル２１，２２は、一方のパネル２１の回動（図６（ｂ）の破線の矢印を参照）とは別途に、他方のパネル２２の中心部に備えられ一方のパネル２１の回転軸（図示していない）と同軸上の回転軸２３を回動（図６（ｂ）の一点鎖線の矢印を参照）させることで他方のパネル２２を回転可能に構成している。
【００９３】
本実施形態の照明装置１０の調光部２では、一対のパネル２１，２２の透光部２ａ，２ｂ，２ｃの位置を揃えた状態から、一方のパネル２１を他方のパネル２２に対して回動させた結果、各パネル２１，２２の透光部２ａ，２ｂ，２ｃ同士が重畳する割合が変化して一対のパネル２１，２２の透光孔２１ａ〜２１ｃ，２２ａ〜２２ｃそれぞれがずれることにより透過光量が変化する。
【００９４】
照明装置１０の調光部２は、透光部２ａ，２ｂ，２ｃの重畳する割合の変化により、一対のパネル２１，２２を透過する発光装置１から光出射部３の各波長変換部３ｒ，３ｇ，３ｂごとへの光の透過光量を変えことが可能となる。これにより、照明装置１０は、光出射部３の発光色の異なる各波長変換部３ｒ，３ｇ，３ｂから放射された各発光色の光をそれぞれ調光することで照明光の色調を可変とすることができる。
【００９５】
特に、本実施形態の照明装置１０における調光部２は、一方のパネル２１と他方のパネル２２とをそれぞれ回動させることにより、実施形態１の照明装置１０と比較して、光出射部３の各波長変換部３ｒ，３ｇ，３ｂから放射された各発光色ごとの光強度をより細かく変えることができる。
【００９６】
なお、一方のパネル２１と、他方のパネル２２とは、必ずしも同一構成の透光部２ａ，２ｂ，２ｃを備えた場合だけでなくともよい。したがって、一方のパネル２１の透光部２ａ，２ｂ，２ｃと、他方のパネル２２の透光部２ａ，２ｂ，２ｃとは、それぞれ大きさや形状の異なる透光孔２１ａ〜２１ｃ，２２ａ〜２２ｃを備えて構成したものでもよい。また、一方のパネル２１と他方のパネル２２とは、必ずしも両方とも回動させる必要もなく、いずれか一方だけ回動させることもできる。さらに、本実施形態の照明装置１０における調光部２は、２枚のパネル２１，２２を用いるものだけに限られず、３枚以上の複数毎にパネルを重ねて光出射部３の波長変換部３ｒ，３ｇ，３ｂから放射された各発光色の光をそれぞれ調光する構成としてもよい。
【００９７】
（実施形態３）
本実施形態は、図６で示した実施形態２の照明装置１０における反射壁４１を備えた反射部材４を用いる代わりに、図７に示す複数個の発光装置１から放射された光を反射する外周壁４３が備えられた反射部材４を用いた点が相違する。なお、実施形態１や実施形態２と同様の構成要素には、同一の符号を付して説明を適宜省略する。
【００９８】
本実施形態の照明装置１０は、ＬＥＤチップ１１を有する発光装置１が配線基板５の一表面５ａ上に複数個（ここでは、３個）備えられ該発光装置１からの光を反射する反射部材４の外周壁４３で囲んで一つの光源としており、該光源から放射されパネル２１，２２で反射された光を、配線基板５の一表面５ａ側および反射部材４の外周壁４３によって、パネル２１，２２側の全面に反射させている。
【００９９】
本実施形態の図７に示す照明装置１０の反射部材４は、配線基板５の上記一表面５ａ側に配置された全ての発光装置１を囲む外周壁４３を設けているものの、図６に示す実施形態２の照明装置１０における反射部材４のごとく各発光装置１を個別に囲む反射壁４１を設けていない。そのため、本実施形態の照明装置１０は、図６に示す実施形態２の照明装置１０のごとく各発光装置１が反射部材４の反射壁４１によりお互いが隔離されていない。
【０１００】
これにより、本実施形態の照明装置１０の調光部２におけるパネル２１，２２で反射された発光装置１からの光は、配線基板５の一表面５ａ側や反射部材４の外周壁４３によって、再び、パネル２１，２２側の全体に反射されパネル２１，２２のいずれかの透光部２ａ，２ｂ，２ｃから光出射部３側に放射して取り出すことが可能となる。
【０１０１】
特に、照明装置１０は、調光部２の透過率を低く設定させた場合、発光装置１から放射された光が調光部２側のパネル２１，２２で反射される割合が多くなる傾向にある。照明装置１０は、調光部２側のパネル２１，２２で反射された光を、配線基板５の一表面５ａ側や反射部材４の外周壁４３により、再び調光部２のパネル２１，２２側の全体に反射させる結果、照明装置１０全体の発光効率の低下を抑制することが可能となる。
【０１０２】
なお、照明装置１０は、各発光装置１から放射された光を有効に利用するため、配線基板５の一表面５ａ側、反射部材４を介して配線基板５の一表面５ａと対向するパネル２１，２２の一方面側および反射部材４における外周壁４３の表面の反射率を高くすることが好ましい。照明装置１０は、上述の反射率を高めるため、配線基板５の一表面５ａ側、反射部材４の外周壁４３および調光部２におけるパネル２１，２２の一方面側の表面に反射率が高い反射膜（図示していない）を適宜に形成すればよい。
【０１０３】
このような、反射膜の材料としては、たとえば、ＡｇやＡｌなどの金属材料、硫酸バリウムなどの白色顔料が含有された樹脂材料などからなる白色のポリマー、１０μｍ以下の微細な気泡を多数形成させたポリエチレンテレフタレートなどの発泡ポリマーや発光装置１から放射される発光波長の光を反射させる誘電体の多層膜などが挙げられる。なお、上記反射膜を金属材料で形成させる場合、配線基板５の上記配線パターンなどとの絶縁を図る目的で適宜に絶縁層を形成すればよい。
【０１０４】
これにより、照明装置１０は、各発光装置１が放射した光を調光部２におけるパネル２１，２２の一方面側、反射部材４の外周壁４３、配線基板５の一表面５ａで囲まれた内部で吸収されることを抑制することが可能となる。すなわち、照明装置１０は、発光装置１から放射された光が照明装置１０の内部で損失となることを低減させ、照明装置１０の発光効率の低下を抑制することが可能となる。
【符号の説明】
【０１０５】
１  発光装置
２  調光部
２ａ，２ｂ，２ｃ  透光部
３  光出射部
３ｒ，３ｇ，３ｂ  波長変換部
４  反射部材
５  配線基板
５ａ  一表面
１０  照明装置
１１  ＬＥＤチップ
２１，２２  パネル
２３  回転軸
２４  駆動部
【図１】
2011233269.tif 000004
【図２】
2011233269.tif 000005
【図３】
2011233269.tif 000006
【図４】
2011233269.tif 000007
【図５】
2011233269.tif 000008
【図６】
2011233269.tif 000009
【図７】
2011233269.tif 000010
【図８】
2011233269.tif 000011